【事件の表示】
　平成４年特許願第１７１２４１号「ゼオライトベースの噴霧乾燥洗剤組成物とその製造方法」拒絶査定不服審判事件〔平成５年９月２４日出願公開、特開平５−２４７４９７〕について、次のとおり審決する。
【結　論】
　本件審判の請求は、成り立たない。
【理　由】
１．手続の経緯・本願発明
　本願は、平成４年６月２９日（パリ条約による優先権主張１９９１年６月２８日　米国）に出願されたものであって、請求項１ないし１４に係る発明は、平成１３年２月１５日付け及び平成１４年４月３日付けの手続補正書により補正された明細書の記載からみて、その特許請求の範囲の請求項１ないし１４に記載されたとおりのものであるところ、請求項１に係る発明（以下、「本願発明」という。）は次のとおりのものである。
「０．３〜１．０ｇ／ｃｃの密度を有し、ゼオライトと、陰イオン、非イオン及び陽イオン界面活性洗剤化合物からなる群から選択される少なくとも１種とを含む易流動性噴霧乾燥粒状洗剤組成物であって、このような洗剤組成物で洗濯した布帛に付着した目視可能な残渣量が顕著に少ないような、高い溶解性特性と共に、粒子の最少の破壊と磨耗を伴うのみで組成物の長期間の貯蔵と取り扱いを可能にする改良された粒子機械的強度と結合性を有する洗剤組成物の製造方法において、次の工程：
（ａ）（i）少なくとも５重量％のゼオライト、（ii）クエン酸、クエン酸の水溶性塩、ニトリロトリアセテート、ニトリロアセテートの水溶性塩及びこれらの混合物から成る群から選択されるビーズ強化剤の有効量、及び（iii）（i）と（ii）以外の補助的洗剤ビルダー０〜５０重量％を含む水性クラッチャースラリーであって、ケイ酸ナトリウムとベントナイトを実質的に含まず、０重量％を超えて３重量％未満の陰イオン及び／又は非イオン界面活性洗剤化合物を含む水性クラッチャースラリーを形成する工程（全ての％は水の不存在下でのスラリーの固形分を基準とする）；
（ｂ）工程（ａ）のクラッチャースラリーを噴霧乾燥して噴霧乾燥粒子を製造する工程；及び
（ｃ）陰イオン、非イオン及び陽イオン界面活性洗剤化合物からなる群から選択される１種以上を噴霧乾燥粒子に、前記粒状洗剤組成物に望ましい洗浄性又は柔軟化性を得るために充分な量で塗布する工程を含む方法。」
　
２．引用例
　これに対して、原査定の拒絶の理由に引用された刊行物及びその記載事項は次のとおりである。
　＜引用文献等一覧＞
　刊行物１：独国特許出願公開第３０４５２２１号明細書(DE,3045221,A1)
　刊行物２．独国特許出願公開第３１４４２９７号明細書(DE,3144297,A1)
　刊行物３．独国特許出願公開第３１２０７４４号明細書(DE,3120744,A1)
　刊行物４．「Chemische Technologie Band 7　Organische Technologielll」p.138-139　　Carl Hnser Verlag Munchen Wien 1986
　刊行物５．米国特許第５０２４７７８号明細書
　刊行物６．特開昭６２−１１２６９７号公報
　刊行物７．特表平０３−５０４７３４号公報
　（１）刊行物１には、ゼオライトＡを55重量％含むスラリー150kgとクエン酸三ナトリウムを50重量％含む水溶液16.5kgとを混合し、噴霧乾燥して洗剤用顆粒を得ることが記載され、この顆粒は溶解能が優れることが記載されている(特に表２、実施例９参照)。
　（２）刊行物２には、44％ゼオライトＡマスターバッチ43.2kgとクエン酸三ナトリウム3kg、水6kgとからなるスラリーを噴霧乾燥して洗剤用粉体を得ることが記載されている(特に実施例２参照)。
　（３）刊行物３には、ゼオライトＡを55重量％含むスラリー150kgとニトリロトリアセテートを40重量％含む水溶液20kgとを混合し、噴霧乾燥して洗剤用粒子を得ることが記載され、この粒子は優れた分解率を有することが記載されている(特に実施例１参照)。
　（４）刊行物４には、噴霧乾燥によって得られたビーズに、界面活性剤等の液体成分を噴霧し、塗布・吸収させて、粒状洗剤を得ることに関し、「水溶性のまたは分配可能の熱的に安定な内容物質を、混合ボックスにおいて強力撹拌装置によって撹拌して固形物含量６０−７０％のスラリーを形成し、均質化し、熱噴霧塔において比較的高い圧力下で、概ね、向流法で、天然ガスまたは石油の２５０−３００℃の高温燃焼ガス中に噴霧する。この場合、膨張した小さい中空球、いわゆる、ビーズが生ずる。」〔第１３８頁下から１２行目〜下から８行目〕、「タッピング重量の大きい粉体（例えば、クリーニング屋用洗剤、洗浄器用食器洗剤など）は噴霧法で製造される。界面活性剤および他の液体成分または液体化可能な成分は、洗剤の機械的に予混合された粉状成分上に噴霧される。」〔第１３８頁下から３行目〜第１３９頁第１行目〕と記載されている。
　（５）刊行物５には、非イオン界面活性剤が噴霧され、塗布・吸収されて洗剤組成物とする技術に関し、「本発明はまた、このような粒子に基づく非イオン性洗剤組成物に関し、これは、粒子上に非イオン性洗剤を噴霧し、それが粒子によって吸収されたものである。」（第１頁右欄下から５行目〜下から１行目）と記載されている。
　（６）刊行物６には、洗剤組成物に関する技術が記載されており、第２０頁左上欄第１行目〜右上欄第７行目には、非イオン界面活性剤を１．５重量％しか含まないスラリーを噴霧乾燥して、キャリヤー材料（ベース粒子である。）を製造し、このキャリヤー材料上に、陰イオン界面活性剤水溶液を噴霧して、洗剤組成物を得る方法が記載されている。
（７）刊行物７には、ゼオライトＮａＡ、アクリル酸／マレイン酸コポリマー、ナトリウム石鹸、硫酸ナトリウム、５個のＥＯを含むエトキシル化獣脂脂肪アルコールを含む水性分散液を噴霧乾燥して、５６０ｇ／ｌ粒状吸着剤を得、これに界面活性剤を噴霧・含浸させ、生成物の見掛け密度が６５０から７００ｇ／ｌのものを得たと記載されている（実施例１〜４）。
　
３．対比
　刊行物１ないし３には、（i）少なくとも５重量％のゼオライト、（ii）クエン酸の水溶性塩、ニトリロトリアセテートの有効量、（iii）（i）と（ii）以外の補助的洗剤ビルダー０〜５０重量％を含む水性クラッチャースラリーであって、ケイ酸ナトリウムとベントナイトを実質的に含まないものを形成し、噴霧乾燥して噴霧乾燥粒子を製造することが記載されているから、その点で、本願発明と刊行物１ないし３に記載された発明とは、軌を一にするものであるが、（１）本願発明では、水性クラッチャースラリーに、０重量％を超えて３重量％未満の陰イオン及び／又は非イオン界面活性洗剤化合物を含ませているが、刊行物１ないし３には、該スラリーに界面活性洗剤化合物を含有させていない点、及び（２）本願発明では、噴霧乾燥粒子に、陰イオン、非イオン及び陽イオン界面活性洗剤化合物からなる群から選択される１種以上を塗布する工程を採用するのに対して、刊行物１ないし３には、そのような塗布工程が記載されていない点で相違する。
　
４．判断
　その相違する点について検討する。
　ア．相違点（１）について
　刊行物６には、非イオン界面活性剤を１．５重量％含むスラリーを噴霧乾燥することが記載され、また、刊行物７には、少量のナトリウム石鹸を含む水性分散液（スラリー）を噴霧乾燥することが記載されているから、本願発明で、水性クラッチャースラリーに、０重量％を超えて３重量％未満の陰イオン及び／又は非イオン界面活性洗剤化合物を含ませるようにすることは、普通になし得る事項といえる。
　イ．相違点（２）について
　ゼオライト等を含む洗剤成分よりなる水性クラッチャースラリーを噴霧乾燥してベース粒子を製造し、後から該粒子に界面活性剤を塗布する方法は周知であるから(引用例４〜７等参照)、引用例１〜３に記載の噴霧乾燥粒子をベースとして洗剤組成物にするにあたり、該粒子の表面に所望の洗浄特性を付与するのに適した界面活性剤を塗布するようにすることは、当業者が容易になし得たものといえる。
　また、本願発明では、製品洗剤の密度を０．３〜１．０ｇ／ｃｃとしているが、刊行物７に記載されている密度を有するにすぎないし、易流動性噴霧乾燥粒状洗剤組成物である点、洗濯した布帛に付着した目視可能な残渣量が顕著に少ない点、高い溶解性特性と共に、粒子の最少の破壊と磨耗を伴うのみで組成物の長期間の貯蔵と取り扱いを可能にする改良された粒子機械的強度と結合性を有する点等も当業者が当然に予期し得る性質が附加されるにすぎないといえる。
　したがって、本願発明は、刊行物１ないし７に記載された発明に基づいて当業者が容易に発明をすることができたものである。
　
５．むすび
　以上のとおりであるから、本願発明は、特許法第２９条第２項の規定により特許を受けることができないから、本願の請求項２ないし１４については審理するまでもなく、本願は拒絶すべきものと認める。
　よって、結論のとおり審決する。